(57)【要約】      （修正有）【課題】救命胴衣の役目の他に、緊急時の連絡に必要な携帯電話やスマホが収納できるようにポケットを付け、スマホであれば収納したまま使用できるようにポケットの前面部を透明にして、緊急時により役に立つ救命胴衣となることを目的とした、スマホ対応ポケット付き救命胴衣を提供する。【解決手段】スマホ対応ポケット付き救命胴衣は、釣りの動きを阻害しないウエストポーチタイプの膨張式救命胴衣の外側のポーチ部分に、携帯電話やスマホが入るポケットＡを付け、スマホであれば収納したまま使用できるように、ポケットの前面部分は透明なＰＶＣの素材Ｂをウェルダー加工で取り付けた。このポケットにより、緊急時の携帯電話の不携帯や落水時の紛失を防ぎ、収納したままスマホを使用することができる、より役立つ救命胴衣ができた。【選択図】図１
0003192651.tif 000002
【実用新案登録請求の範囲】
【請求項１】
ウエストポーチ型の膨張式救命胴衣の外側のポーチ部分に、緊急時に必要となる携帯電話やスマホが収納できるポケットを付け、スマホであればポケットに収納したままで操作できるように、ポケットの前面部を透明な素材にしたことを特徴とする救命胴衣。
【考案の詳細な説明】
【技術分野】
【０００１】  本考案は、救命胴衣に関するものである。
【背景技術】
【０００２】  釣りにおいて救命胴衣は必須であり、緊急時などに備えて携帯電話も所持するべきである。しかし、釣りの動きを妨げないように極力身軽でありたいという釣り人の思惑から、救命胴衣を着用しない人がいる。また、救命胴衣を着用していても、携帯電話やスマホを所持してない釣り人は多く、ズボンのポケットなどに所持していても落水時などの衝撃で海へ落とし、使用できない事例があった。【０００３】  そこで、釣りの動きを阻害しない、コンパクトなウエストポーチ型の膨張式救命胴衣の外側のポーチ部分にポケットを付け、そこに防水処理をしたスマホを収納することで、緊急時の携帯電話の不携帯や落水時の紛失を防ぎ、ポケットの前面部を透明にして、スマホを収納したままで使用することができる救命胴衣を考案した。
【考案の概要】
【考案が解決しようとする課題】
【０００４】  本考案の目的とするところは、救命胴衣としての役目の他に、携帯電話やスマホが収納できるポケットを付け、スマホであれば収納したまま使用できるよう、ポケットの前面部を透明にした救命胴衣を提供しようとするものである。
【課題を解決するための手段】
【０００５】  上記目的を達成するために、本考案におけるスマホ対応ポケット付き救命胴衣は、釣りの動きを阻害しないウエストポーチタイプの膨張式救命胴衣の外側のポーチ部分に、携帯電話やスマホを収納することができるポケットを付けた。また、スマホであれば収納したまま使用できるように、ポケットの前面部分は透明なＰＶＣ素材にした。ポケットの開閉には止水ファスナーを用い、極力水が入らない構造にしているが、完全防水ではないため、携帯電話やスマホは防水ケースなどに入れた状態で収納することが望ましい。
【考案の効果】
【０００６】  本考案のスマホ対応ポケット付き救命胴衣は、釣りの動きを阻害しないウエストポーチタイプの膨張式救命胴衣の機能に加えて、携帯電話やスマホをポケットに収納でき、緊急時の携帯電話の不携帯や落水時の紛失を防ぐことができる、優れた救命胴衣である。【０００７】  ポケットの前面は透明なため、スマホを取り出さずに収納したままで操作することができ、そのままで通話もできるので、釣りで手が汚れている際もスマホを汚さずに使用できて便利であり、このような救命胴衣であれば着用者も増える。
【図面の簡単な説明】
【図１】本考案を実施したスマホ対応ポケット付き救命胴衣の正面図である。
【図２】本考案を実施したスマホ対応ポケット付き救命胴衣の左側面図である。
【図３】図１のスマホ対応ポケット付き救命胴衣を開封した際の参考図である。
【図４】図１のスマホ対応ポケット付き救命胴衣の実施例を示す参考図である。
【考案を実施するための形態】
【０００９】  本考案の実施例を図で説明する。図１は本考案を実施した救命胴衣を正面から見た全体図である。Ａが本考案を実施したポケットである。Ｂがポケット前面部ＰＶＣ透明素材となる部分である。
【００１０】  図２は本考案を実施した救命胴衣の左側面図である。Ｃの斜線部はポケットにスマホなどが入るようにマチをつけた部分である。
【００１１】図３は本考案を実施した救命胴衣の蓋を開封した際の参考図である。ウエストポーチ内のスペースには、折りたたまれたＤの救命胴衣と救命胴衣を膨張させるための炭酸ガスボンベが入っており、ウエストポーチの蓋は、救命胴衣を作動させる時に外に出やすいようにＥのマジックバンドで開閉する。Ａのポケットの開閉には、Ｆの止水ファスナーを用い、水が入りにくい構造とした。Ｂのポケット前面部ＰＶＣ透明素材とポケットの生地との接着にはウェルダー加工を施した。
【００１２】  図４は本考案の実施例を示す参考図である。Ｇの防水ケースに入れたスマホは、収納したままで操作し、通話することができる。
【符号の簡単な説明】
［Ａ］  ポケット
［Ｂ］  ポケット前面部ＰＶＣ透明素材
［Ｃ］  マチ
［Ｄ］  救命胴衣
［Ｅ］  マジックバンド
［Ｆ］  止水ファスナー
［Ｇ］  防水ケースに入れたスマホ
【図１】
0003192651.tif 000003
【図２】
0003192651.tif 000004
【図３】
0003192651.tif 000005
【図４】
0003192651.tif 000006
【手続補正書】
【提出日】平成26年6月13日(2014.6.13)
【手続補正１】
【補正対象書類名】明細書
【補正対象項目名】全文
【補正方法】変更
【補正の内容】
【考案の詳細な説明】
【技術分野】
【０００１】  本考案は、救命胴衣に関するものである。
【背景技術】
【０００２】  釣りにおいて救命胴衣は必須であり、緊急時などに備えて携帯電話も所持するべきである。しかし、釣りの動きを妨げないように極力身軽でありたいという釣り人の思惑から、救命胴衣を着用しない人がいる。また、救命胴衣を着用していても、携帯電話やスマホを所持してない釣り人は多く、ズボンのポケットなどに所持していても落水時などの衝撃で海へ落とし、使用できない事例があった。【０００３】  そこで、釣りの動きを阻害しない、コンパクトなウエストポーチ型の膨張式救命胴衣の外側のポーチ部分にポケットを付け、そこに防水処理をしたスマホを収納することで、緊急時の携帯電話の不携帯や落水時の紛失を防ぎ、ポケットの前面部を透明にして、スマホを収納したままで使用することができる救命胴衣を考案した。
【考案の概要】
【考案が解決しようとする課題】
【０００４】  本考案の目的とするところは、救命胴衣としての役目の他に、携帯電話やスマホが収納できるポケットを付け、スマホであれば収納したまま使用できるよう、ポケットの前面部を透明にした救命胴衣を提供しようとするものである。
【課題を解決するための手段】
【０００５】  上記目的を達成するために、本考案におけるスマホ対応ポケット付き救命胴衣は、釣りの動きを阻害しないウエストポーチタイプの膨張式救命胴衣の外側のポーチ部分に、携帯電話やスマホを収納することができるポケットを付けた。また、スマホであれば収納したまま使用できるように、ポケットの前面部分は透明なＰＶＣ素材にした。ポケットの開閉には止水ファスナーを用い、極力水が入らない構造にしているが、完全防水ではないため、携帯電話やスマホは防水ケースなどに入れた状態で収納することが望ましい。
【考案の効果】
【０００６】  本考案のスマホ対応ポケット付き救命胴衣は、釣りの動きを阻害しないウエストポーチタイプの膨張式救命胴衣の機能に加えて、携帯電話やスマホをポケットに収納でき、緊急時の携帯電話の不携帯や落水時の紛失を防ぐことができる、優れた救命胴衣である。【０００７】  ポケットの前面は透明なため、スマホを取り出さずに収納したままで操作することができ、そのままで通話もできるので、釣りで手が汚れている際もスマホを汚さずに使用できて便利であり、このような救命胴衣であれば着用者も増える。
【図面の簡単な説明】
【図１】本考案を実施したスマホ対応ポケット付き救命胴衣の正面図である。
【図２】本考案を実施したスマホ対応ポケット付き救命胴衣の左側面図である。
【図３】図１のスマホ対応ポケット付き救命胴衣を開封した際の参考図である。
【図４】図１のスマホ対応ポケット付き救命胴衣の実施例を示す参考図である。
【考案を実施するための形態】
【０００９】  本考案の実施例を図で説明する。図１は本考案を実施した救命胴衣を正面から見た全体図である。Ａが本考案を実施したポケットである。Ｂがポケット前面部ＰＶＣ透明素材となる部分である。
【００１０】  図２は本考案を実施した救命胴衣の左側面図である。Ｃの斜線部はポケットにスマホなどが入るようにマチをつけた部分である。
【００１１】  図３は本考案を実施した救命胴衣の蓋を開封した際の参考図である。ウエストポーチ内のスペースには、折りたたまれたＤの救命胴衣と救命胴衣を膨張させるための炭酸ガスボンベが入っており、ウエストポーチの蓋は、救命胴衣を作動させる時に外に出やすいようにＥの面ファスナーで開閉できるようにする。Ａのポケットの開閉には、Ｆの止水ファスナーを用い、水が入りにくい構造とした。Ｂのポケット前面部ＰＶＣ透明素材とポケットの生地との接着にはウェルダー加工を施した。
【００１２】  図４は本考案の実施例を示す参考図である。Ｇの防水ケースに入れたスマホは、収納したままで操作し、通話することができる。
【符号の簡単な説明】
［Ａ］  ポケット
［Ｂ］  ポケット前面部ＰＶＣ透明素材
［Ｃ］  マチ
［Ｄ］  救命胴衣
［Ｅ］  面ファスナー
［Ｆ］  止水ファスナー
［Ｇ］  防水ケースに入れたスマホ
【手続補正２】
【補正対象書類名】図面
【補正対象項目名】図１
【補正方法】変更
【補正の内容】
【図１】
0003192651.tif 000007
【手続補正３】
【補正対象書類名】図面
【補正対象項目名】図３
【補正方法】変更
【補正の内容】
【図３】
0003192651.tif 000008
【手続補正４】
【補正対象書類名】図面
【補正対象項目名】図４
【補正方法】変更
【補正の内容】
【図４】
0003192651.tif 000009